(57)【特許請求の範囲】
【請求項１】
扉を自動販売機の本体に回動可能に枢支する自動販売機のヒンジ装置において、前記本体内側に支持された本体回動軸と、前記扉内側に支持された扉回動軸と、一側部が前記本体回動軸と係合し他側部が前記扉回動軸と係合するとともに一側部と他側部との間に自動販売機の内側に向かって湾曲した湾曲部を有して本体回動軸と扉回動軸とを連結する連結ヒンジ、および前記扉が閉じた位置から第１の開放角度範囲までは前記扉が前記扉回動軸を支点に回動開放するとともに、第１の開放角度範囲よりも大きい第２の開放角度範囲では前記扉が前記連結ヒンジを介して前記本体回動軸を支点に回動開放するように扉の回動軸を規制する回動軸規制装置を備えたことを特徴とする自動販売機のヒンジ装置。
【請求項２】
前記回動軸規制装置は、前記第１の開放角度範囲で前記本体と前記連結ヒンジとを係脱可能に係止する本体側弾性部材と、前記第２の開放角度範囲で前記扉と前記連結ヒンジとを係脱可能に係止する扉側弾性部材とを備えて成ることを特徴とする請求項１に記載の自動販売機のヒンジ装置。
【発明の詳細な説明】
【０００１】
【発明の属する技術分野】
本発明は、扉を自動販売機の本体に回動可能に枢支する自動販売機のヒンジ装置
【０００２】
【従来の技術】
従来より、自動販売機の扉はヒンジ装置によって本体に対して回動可能に取り付けられており、こうしたヒンジ装置は、例えば特開平１０−１６９２９０号公報に示されるように、本体側から延出したヒンジ軸に扉の上下面が軸支されるように構成されており、上側のヒンジは自動販売機の外部に露出した状態で取り付けられているものが一般的である。
【０００３】
【発明が解決しようとする課題】
しかしながら、こうしたヒンジ装置は上側のヒンジが外部に露出しているために、この上側のヒンジを破壊して自動販売機の扉をこじ開けようとする悪戯が行われることが多くあり、こうした悪戯によって扉が開かれないようにするため上記特開平１０−１６９２９０号公報に示されるようにヒンジピンを焼き入れ処理することにより強度アップしたり、ヒンジにカバーを被せたりする破壊行為対策が成されているが、ヒンジが外部に露出しているために金鋸やバール等によってヒンジに対して強引な破壊行為が行われやすい構造であり、破壊を防ぎきれないケースがあった。
【０００４】
本発明は、このようなヒンジを破壊しようとする悪戯意識を低減させるとともに、ヒンジが破壊されにくい自動販売機のヒンジ装置を提供するものである。
【０００５】
【課題を解決するための手段】
請求項１の発明に係る自動販売機のヒンジ装置は、扉を自動販売機の本体に回動可能に枢支する自動販売機のヒンジ装置において、前記本体内側に支持された本体回動軸と、前記扉内側に支持された扉回動軸と、一側部が前記本体回動軸と係合し他側部が前記扉回動軸と係合するとともに一側部と他側部との間に自動販売機の内側に向かって湾曲した湾曲部を有して本体回動軸と扉回動軸とを連結する連結ヒンジ、および前記扉が閉じた位置から第１の開放角度範囲までは前記扉が前記扉回動軸を支点に回動開放するとともに、第１の開放角度範囲よりも大きい第２の開放角度範囲では前記扉が前記連結ヒンジを介して前記本体回動軸を支点に回動開放するように扉の回動軸を規制する回動軸規制装置を備えたことを特徴とするものである。
【０００６】
この構成によれば、ヒンジ装置が自動販売機の外部に露出しないので、ヒンジ装置を破壊しようとする悪戯意識を喚起させることがないとともに、ヒンジ装置が破壊され難い。また、自動販売機の内側に向かって湾曲する連結ヒンジによって本体回動軸と扉回動軸とが連結された構成であるので、湾曲部によって構成される空間を利用することにより、扉は連結ヒンジに対して回動可能であるとともに、連結ヒンジも本体に対して回動可能となるため、ヒンジ装置が自動販売機の内部にあるにも関わらず扉を大きく開放させることができる。
【０００８】
また、回動軸規制装置によって、扉の開放角度によって動作する回動軸が規制されるので、２軸で同時に回動動作が生じることがなく、扉の開閉をなめらかに行うことができる。
【０００９】
請求項２の発明に係る自動販売機は、請求項１の構成において、前記回動軸規制装置は、前記第１の開放角度範囲で前記本体と前記連結ヒンジとを係脱可能に係止する本体側弾性部材と、前記第２の開放角度範囲で該扉と前記連結ヒンジとを係脱可能に係止する扉側弾性部材とを備えて成ることを特徴とするものである。
【００１０】
この構成によれば、弾性部材によって本体と連結ヒンジ或いは扉と連結ヒンジとを弾性的に係止することにより回動規制したものであるので、容易に係脱可能であり、第１の開放角度範囲から第２の開放角度範囲に移行する際、或いは第２の開放角度範囲から第１の開放角度範囲に移行する際の回動軸規制の切換が円滑に行われる。
【００１１】
【発明の実施の形態】
以下、本発明について図面を参照しながら詳細に説明する。
【００１２】
図１は本発明のヒンジ装置を備えた自動販売機の正面図である。
【００１３】
図１に示すように、本発明のヒンジ装置を備えた自動販売機１は、後述する本体６の前面を開閉する扉２を備え、この扉２には、販売商品のサンプル３０等を展示するとともに、前面に購入商品を選択するための選択ボタン３１を配した展示室３と、金銭投入口等を配した操作部４と、扉２の下方に位置し販売された商品を取り出すための商品販売口５等が設けられている。
【００１４】
そして、この本体扉２は自動販売機１内部の左側端上下２カ所に配設されたヒンジ装置７によって本体６を開閉可能に連結されている。
【００１５】
図２乃至図９は扉の開閉動作を説明するヒンジ装置の平面図である。
【００１６】
なお、この図２乃至図９に示す扉２および本体６
このヒンジ装置７は、図２に示すように本体６の左側端前部の内壁に取付固定された本体軸受け６１と、この本体軸受け６１に挿入されて回動可能に支持された本体回動軸６２と、扉２の左前部のコーナー付近に取付固定された扉軸受け２１と、この扉軸受け２１に挿入されて回動可能に支持された扉回動軸２２と、本体軸受け６１と扉軸受け２１とを連結する連結ヒンジ８と、本体６の補強フレーム６３に取り付けられ後述する連結ヒンジ８の係合フランジ８４を弾性的に係止する本体側弾性部材６４と、扉２の背面フランジ２３に取り付けられ後述する扉側弾性部材８５と係合するストッパー２４と、連結ヒンジ８の内面に取り付けられこのストッパー２４を弾性的に係止する扉側弾性部材８５とを備えて構成されている。
【００１７】
連結ヒンジ８は厚板板金を折り曲げ形成したものであって、両側にカール部８１，８３が形成されるとともに、本体６側の側端の一部には本体弾性部材６４と係合する係合フランジ８４が折り曲げ形成されており、本体側カール部８１が本体回動軸６２に溶接固定されるとともに扉側カール部８３が扉回動軸２２に溶接固定されることにより、本体６と扉２とを連結するように構成されている。また、この本体側カール部８１と扉側カール部８３との間には自動販売機１の内側に向かって湾曲形成された湾曲部８２が形成されているため、この湾曲部８２によって回動空間１００が形成され、この回動空間１００によって、扉２が扉回動軸２２を支点として広い範囲で回動可能になるとともに、連結ヒンジ８も本体回動軸６２を支点として広い範囲で回動可能になっている。
【００１８】
なお、この連結ヒンジ８は、図２に示すように扉２の背面フランジ２３を貫通して本体回動軸６２に連結されており、扉２の背面フランジ２３は後述する第１の回動角度の範囲で連結ヒンジ８に干渉しないようにこの貫通部２３ａに角穴（図示せず）が開口形成されている。
【００１９】
本体側弾性部材６４は、図２に示すように板バネを半矢印形状に折り曲げ加工したものであり、先端には連結ヒンジ８の係合フランジ８４を案内受け入れするための受け斜面６４ａと、この受け斜面６４ａの後端に形成され受け入れた係合フランジ８４を弾性係止するように略垂直に立ち上げられた係止部６４ｂが設けられている。
【００２０】
ストッパー２４は板金部材を折り曲げ形成したものであり、扉２内に延出するように形成された係合フランジ２４ａと、扉２の後方へ延出するように形成されたカバーフランジ２４ｃと、係合フランジ２４ａとカバーフランジ２４ｃとの間に形成された当接フランジ２４ｂとが設けられている。
【００２１】
扉側弾性部材８５は、板バネを半矢印形状に折り曲げ加工したものであり、先端にはストッパー２４の係合フランジ２４ａを案内受け入れするための受け斜面８５ａと、この受け斜面８５ａの後端に形成され受け入れた係合フランジ２４ａを弾性係止するように略垂直に立ち上げられた係止部８５ｂが設けられている。
【００２２】
以下、このように構成されたヒンジ装置７の動作について説明する。
【００２３】
図２は扉２が閉じられた状態を示す平面図である。図２に示されるように扉２が閉じられた状態では、連結ヒンジ８の係合フランジ８４が本体側弾性部材６４と係合しており、一方ストッパー２４の係合フランジ２４ａは扉側弾性部材８５と係合していない状態にある。
【００２４】
また、この扉２が閉じられた状態では、図２に示されるようにヒンジ装置７が扉２と本体６の外郭に覆われた状態にある。このため、ヒンジ装置７が外から見えないので、ヒンジ装置７を破壊しようとする悪戯意識を喚起させることがないとともに、ヒンジ装置７が破壊しづらい状態になっている。また、このとき図２に示されるように扉２の背面フランジ２３に取り付けられたストッパー２４のカバーフランジ２４ｃが扉２と本体６との隙間を覆うように本体６側に延出しているので、扉２と本体６との隙間にバール等が挿入されることを防ぐことができ、より強固にこじ開け行為が阻止される。
【００２５】
次に、図２の状態から図１に示す扉２の開放レバー４１を引くと、上述の通り連結ヒンジ８の係合フランジ８４が本体側弾性部材６４によって係止されており、本体回動軸６２を支点とした回動が規制された状態にあるため、まず、扉回動軸２２を支点に扉２が時計回りに回動を始める。
【００２６】
そして、扉２が図３の状態まで回動されたとき、ストッパー２４ａが扉側弾性部材８５の受け斜面８５ａに当接する。一方、連結ヒンジ８の係合フランジ８４は本体側弾性部材６４の係止部６４ｂによってその回動が阻止された状態にある。
【００２７】
この図３の状態よりもさらに扉２を開放する方向に回動させると、ストッパー２４が扉側弾性部材８５の受け斜面８５ａを押す一方、連結ヒンジ８の係合フランジ８４も本体側弾性部材６４の係止部６４ｂと本体側弾性部材６４の係止部６４ｂを押すように力が作用するが、図３に示すように本体側弾性部材６４の係止部６４ｂが略直角に折り曲げ形成されているために、受け斜面８５ａを押された扉側弾性部材８５の方が優先的に弾性変形して、連結ヒンジ８の係合フランジ８４が本体側弾性部材６４に係止されたまま図４に示すようにストッパー２４の係合フランジ２４ａが扉側弾性部材８５に受け入れられる。
【００２８】
こうしてストッパー２４の係合フランジ２４ａが扉側弾性部材８５に受け入れられると、図４に示すようにストッパー２４の当接フランジ２４ｂが連結ヒンジ８の内面に当接し、扉回動軸２２を支点とした回動がそれ以上行えない状態になる。
【００２９】
このように、扉２が閉じた位置からストッパー２４の当接フランジ２４ｂが連結ヒンジ８に当接するまでの第１の角度範囲（本例では０度から約６０度までの角度範囲）では、扉２は扉回動軸２２を支点として回動が行われるように構成されている。
【００３０】
そして、ストッパー２４の当接フランジ２４ｂが連結ヒンジ８の内面に当接した図４の状態からさらに扉２を開放方向に回動させると、扉回動軸２２を支点とした回動が不能であるため、扉２は連結ヒンジ８を介して本体回動軸６２を支点に回動しようとする。このとき、扉２を開放する力が連結ヒンジ８の係合フランジ８４を係止している本体側弾性部材６４に集中して作用するため、本体側弾性部材６４が弾性変形して図５に示すように係合フランジ８４との係合が外れ、さらなる扉２の開放が可能となる。
【００３１】
この後、さらに扉２を開放させる方向に回動させると、扉２は連結ヒンジ８を介して本体回動軸６２を支点として回動し、図６に示すように連結ヒンジ８が本体６の前面フランジ６５に当接するまで回動が可能となる。この図６に示す全開位置では扉２が約１５０度開放された状態となっているので、オペレート作業等が扉２に邪魔されることなく円滑におこなうことができる。
【００３２】
このように、図４に示す開放角度から図６に示す開放角度までの第２の角度範囲（本例では約６０度から約１５０度）では扉２は連結ヒンジ８を介して本体回動軸６２を支点として回動が行われる。
【００３３】
次に、扉２を閉じる際の動作について説明する。
【００３４】
図６の状態から扉２を閉じるべく反時計回りに回動させると、まず、本体側弾性部材６４によって回動規制されていない状態の本体回動軸６２を支点に回動を始める。
【００３５】
すると、図７に示すように連結ヒンジ８の係合フランジ８４が本体側弾性部材６４の受け斜面６４ａに当接するが、このときストッパー２４の係合フランジ２４ａが扉側側弾性部材８５の略直角に曲げられた係止部８５ｂによって係止されているため、受け斜面６４ａを押された本体側弾性部材６４が優先的に弾性変形して図８に示すように連結ヒンジの係合フランジ８４ａを受け入れる。
【００３６】
そしてさらに、扉２を閉じるべく回動させると、図８に示すように連結ヒンジ８の係合フランジ８４が本体６の補強フレーム６３に当接して本体回動軸６２による回動が規制されるため、扉２を閉じる力がストッパー２４の係合フランジ２４ａを係止している扉側弾性部材８５に集中して作用し、扉側弾性部材８５が弾性変形して図９に示すように係合フランジ２４ａの係合が外れる。すると、扉２が扉回動軸２２を支点とした回動が可能となり、扉２が扉回動軸２２を支点として回動し閉じられ図１の状態に戻る。
【００３７】
このように、扉２を扉回動軸２２と本体回動軸６２との二軸で回動開放するように構成しているので、ヒンジ装置７を自動販売機１の内部に配設したにも関わらず、扉２を大きく開放することが可能であり、従来と同様に自動販売機のオペレート作業を行うことができる。
【００３８】
また、弾性部材によって本体６と連結ヒンジ８或いは扉２と連結ヒンジ８とを弾性的に係止することにより回動規制したものであるので、容易に係脱可能であり、第１の開放角度範囲から第２の開放角度範囲に移行する際、或いは第２の開放角度範囲から第１の開放角度範囲に移行する際の回動軸規制の切換が円滑に行われる。したがって、回動軸を二軸にしたにもかかわらず扉２の開閉をなめらかに行うことができる。
【００３９】
なお、図４および図８に示す状態では、ストッパー２４の係合フランジ２４ａと連結ヒンジ８の係合フランジ８４の両者が扉側弾性部材８５と本体側弾性部材６４に係合した状態にあり、係合の遊び分の範囲で本体回動軸６２と扉回動軸２２が同時に回動支点となりうるが、若干の範囲で同時に回動しても扉２の開閉動作には支障はない。すなわち、第１の回動角度範囲と第２の回動角度範囲とが小さな範囲でラップしても問題はない。
【００４０】
また、本実施の形態では第１の回動角度範囲を０度から約６０度、第２の回動角度範囲を約６０度から約１５０度とした例を示したが、湾曲部８２の形状をかえればこの回動角度範囲は変化するものであり、回動角度範囲は上記に限定されたものではない。
【００４１】
また、本実施の形態では、本体回動軸６２および扉回動軸２２とが連結ヒンジ８に溶接固定されて係合している例を示したが、逆に、本体回動軸６２および扉回動軸２２とを連結ヒンジ８に対して回動自在に係合させて、一方本体回動軸６２を本体６に溶接固定し、なおかつ扉回動軸２２を扉２に溶接固定しても、同様のヒンジ装置７を構成することができる。
【００４２】
【発明の効果】
本発明によれば、ヒンジ装置が自動販売機の外部に露出しないので、ヒンジ装置を破壊しようとする悪戯意識を喚起させることがないとともに、ヒンジ装置が破壊され難い。自動販売機の内側に向かって湾曲する連結ヒンジによって本体回動軸と扉回動軸とが連結された構成であるので、扉は連結ヒンジに対して回動可能であるとともに、連結ヒンジも本体に対して回動可能となるため、ヒンジ装置が自動販売機の内側にあるにも関わらず扉を大きく開放させることができる。
【図面の簡単な説明】
【図１】本発明の自動販売機の正面図である。
【図２】扉の開閉動作を説明するヒンジ装置の平面図であり、扉が閉じた状態を示す図である。
【図３】扉の開閉動作を説明するヒンジ装置の平面図であり、扉回動軸を支点に扉が開放する状態を示す図である。
【図４】扉の開閉動作を説明するヒンジ装置の平面図であり、扉を開放する途中で扉回動軸から本体回動軸に回動支点が切り替わる状態を示す図である。
【図５】扉の開閉動作を説明するヒンジ装置の平面図であり、本体回動軸を支点に扉が開放する状態を示す図である。
【図６】扉の開閉動作を説明するヒンジ装置の平面図であり、扉が全開となった状態を示す図である。
【図７】扉の開閉動作を説明するヒンジ装置の平面図であり、本体回動軸を支点に扉が閉じられる状態を示す図である。
【図８】扉の開閉動作を説明するヒンジ装置の平面図であり、扉を閉じる途中で本体回動軸から扉回動軸に回動支点が切り替わる状態を示す図である。
【図９】扉の開閉動作を説明するヒンジ装置の平面図であり、扉回動軸を支点に扉が閉じられる状態を示す図である。
【符号の説明】
１  自動販売機
２  扉
３  展示室
４  操作部
５  商品販売口
６  本体
７  ヒンジ装置
８  連結ヒンジ
２２  扉回動軸
２４  ストッパー
６２  本体回動軸
６４  本体側弾性部材
８２  湾曲部
８５  扉側弾性部材
１００  回動空間
【図１】
0003826255.tif 000002
【図２】
0003826255.tif 000003
【図３】
0003826255.tif 000004
【図４】
0003826255.tif 000005
【図５】
0003826255.tif 000006
【図６】
0003826255.tif 000007
【図７】
0003826255.tif 000008
【図８】
0003826255.tif 000009
【図９】
0003826255.tif 000010